(57)【要約】【課題】単純な構成で組み立ておよび解体の各作業が簡単にできる組立式家具を提供する。【解決手段】組立式家具１００は、段ボール材で構成されたそれぞれ２つずつの外周スリーブ体１０１、格子体１０２および天板１０４を備えている。外周スリーブ体１０１は、平面視で方形の筒状に形成されている。格子体１０２は、板状の複数の組板１０３を格子状に組んで構成されて外周スリーブ体１０１内に収容されている。天板１０４は、格子体１０２を覆う平面視で方形の板状に形成されている。外周スリーブ体１０１と格子体１０２との間には壁体１０５が挿し込まれている。壁体１０５は、天板１０４上に起立する段ボール製の板状体で構成されている。２つの外周スリーブ体１０１は、互いに隣接配置されて連結体１０６によって連結されている。【選択図】  図１
2017209321.tif 000002
【特許請求の範囲】
【請求項１】
複数の板状体が縦横方向に互いに挿し込み合って格子状に組まれた格子体と、
前記格子体の側面外周部を覆う筒状に形成された外周スリーブ体と、
前記外周スリーブ体内に収容された前記格子体上に配置される平板状の天板とを備えることを特徴とする組立式家具。
【請求項２】
請求項１に記載した組立式家具において、
前記外周スリーブ体は、
屈曲可能な板状体で構成されていることを特徴とする組立式家具。
【請求項３】
請求項１または請求項２に記載した組立式家具において、さらに、
前記格子体と前記外周スリーブ体との間に挿し込まれる板状に形成されて前記天板の縁上に起立する壁体を備えることを特徴とする組立式家具。
【請求項４】
請求項１ないし請求項３のうちのいずれか１つに記載した組立式家具において、さらに、
互いに隣接配置した２つの前記外周スリーブ体における一方の前記外周スリーブ体と前記格子体との間に挿し込まれる板状の第１挿し込み部と、他方の前記外周スリーブ体と前記格子体との間に挿し込まれる板状の第２挿し込み部とが一体的に形成された板状の連結体を備えることを特徴とする組立式家具。
【請求項５】
請求項１ないし請求項４のうちのいずれか１つに記載した組立式家具において、
前記天板は、
外縁部分に前記格子体と前記外周スリーブ体との間に挿し込まれる板状に形成された挿し込み部を備えることを特徴とする組立式家具。
【発明の詳細な説明】
【技術分野】
【０００１】
本発明は、ベッド、ベンチ、椅子、テーブル、脚立または台として用いることができる組立式の家具に関する。
【背景技術】
【０００２】
従来から、災害時などに緊急避難的に使用するベッド、ベンチ、椅子、テーブル、脚立または台として用いる組立式の家具がある。例えば、下記特許文献１には、段ボール製の板状体を格子状に組んだ井桁構造体の上面および下面を段ボール製のカバーで覆った段ボール製の組立式ベッドが提案されている。
【先行技術文献】
【特許文献】
【０００３】
【特許文献１】特開２００９−５９０２号公報
【０００４】
しかしながら、このような段ボール製の組立式ベッドにおいては、上下の各カバーの外縁部を折り曲げて井桁構造体の外縁部における複数の切欠き部に挿し込んだ後ロック部材で固定しなければならず、各部品の製造および組み立ておよび解体の各作業が煩雑であるという問題がある。
【発明の概要】
【０００５】
本発明は上記問題に対処するためなされたもので、単純な構成で組み立ておよび解体の各作業が簡単にできる組立式家具を提供することにある。
【０００６】
上記目的を達成するため、請求項１に係る本発明の特徴は、複数の板状体が縦横方向に互いに挿し込み合って格子状に組まれた格子体と、格子体の側面外周部を覆う筒状に形成された外周スリーブ体と、外周スリーブ体内に収容された格子体上に配置される平板状の天板とを備えることにある。
【０００７】
このように構成した発明の特徴によれば、組立式家具は、格子体を筒状の外周スリーブ体内に収容した状態でこの格子体上に天板を配置して構成されているため、構成部品を単純な形状で部品点数を少なくすることができ、組立作業および解体作業を簡単にすることができる。
【０００８】
また、本発明の他の特徴は、前記組立式家具において、外周スリーブ体は、屈曲可能な板状体で構成されているにある。
【０００９】
このように構成した本発明の他の特徴によれば、組立式家具は、外周スリーブ体が屈曲可能な板状体で構成されているため保管時には折り畳むことによって省スペースで保管することができる。この場合、外周スリーブ体を構成する材料としては、紙材（例えば、段ボール材やボール紙など）または樹脂材を用いることができる。
【００１０】
また、本発明の他の特徴は、前記組立式家具において、さらに、格子体と外周スリーブ体との間に挿し込まれる板状に形成されて天板の縁上に起立する壁体を備えることにある。
【００１１】
このように構成した本発明の他の特徴によれば、組立式家具は、格子体と外周スリーブ体との間に挿し込まれて天板の縁上に起立する壁体を備えているため、この壁体を目隠しとして用いることができ避難所などの共同生活場所でのプライベート空間を確保することができる。
【００１２】
また、本発明の他の特徴は、組立式家具において、さらに、互いに隣接配置した２つの外周スリーブ体における一方の外周スリーブ体と格子体との間に挿し込まれる板状の第１挿し込み部と、他方の外周スリーブ体と格子体との間に挿し込まれる板状の第２挿し込み部とが一体的に形成された板状の連結体を備えることにある。
【００１３】
このように構成した本発明の他の特徴によれば、組立式家具において、互いに隣接配置した２つの外周スリーブ体にそれぞれ挿し込まれる第１挿し込み部および第２挿し込み部をそれぞれ有した連結体を備えているため、互いに隣接配置された２つの外周スリーブ体を一体化して使用中２つの外周スリーブ体が互いに離隔することが防止され、安定的に使用することができる。
【００１４】
また、本発明の他の特徴は、前記組立式家具において、天板は、外縁部分に格子体と外周スリーブ体との間に挿し込まれる板状に形成された挿し込み部を備えることにある。
【００１５】
このように構成した本発明の他の特徴によれば、組立式家具は、天板における外縁部分に格子体と外周スリーブ体との間に挿し込まれる板状の挿し込み部を備えているため、天板を単に格子体上に載せた場合に比べて天板の位置ずれや脱落を防止することができ、安定的に使用することができる。
【図面の簡単な説明】
【００１６】
【図１】本発明に係る組立式家具の外観構成の概略を示す斜視図である。
【図２】図１に示す組立式家具を構成する外周スリーブ体、格子体および天板の外観構成の概略を示す分解斜視図である。
【図３】図１に示す組立式家具を構成する外周スリーブ体を折り畳んだ状態の外観構成の概略を示す斜視図である。
【図４】図２に示す格子体を構成する組板の外観構成の概略を示す斜視図である。
【図５】図２に示す格子体を折り畳んだ状態の外観構成の概略を示す斜視図である。
【図６】図１に示す組立式家具を構成する壁体の外観構成の概略を示す斜視図である。
【図７】図１に示す組立式家具を構成する連結体の外観構成の概略を示す斜視図である。
【図８】図１に示す組立式家具を組み立てる工程において外周スリーブ体内に格子体を収容した状態を示す斜視図である。
【図９】図１に示す組立式家具を組み立てる工程において外周スリーブ体内に収容された格子体上に天板を配置した状態を示す斜視図である。
【図１０】図１に示す組立式家具を組み立てる工程において格子体が収容された外周スリーブ体内に１つ目の壁体を挿し込んだ状態を示す斜視図である。
【図１１】図１に示す組立式家具を組み立てる工程において格子体が収容された外周スリーブ体内に２つ目の壁体を挿し込んだ状態を示す斜視図である。
【図１２】図１に示す組立式家具を組み立てる工程において格子体が収容された外周スリーブ体内に２つ目の壁体を挿し込んだ状態を示す斜視図である。
【図１３】図１に示す組立式家具の天板上に敷物を敷いて使用する状態を示した斜視図である。
【図１４】本発明の変形例に係る組立式家具の外観構成の概略を示す斜視図である。
【発明を実施するための形態】
【００１７】
（組立式家具１００の構成）
以下、本発明に係る組立式家具の一実施形態について図面を参照しながら説明する。図１は、本発明に係る組立式家具１００の全体構成の概略を模式的に示す斜視図である。なお、本明細書において参照する各図は、本発明の理解を容易にするために一部の構成要素を誇張して表わすなど模式的に表している。このため、各図面間および各構成要素間の寸法や比率などは異なっていることがある。この組立式家具１００は、災害が発生した場合に避難施設でベッドまたは腰掛けとして用いられるものである。
【００１８】
この組立式家具１００は、２つの外周スリーブ体１０１を備えている。各外周スリーブ体１０１は、格子体１０２、天板１０４、壁体１０５および連結体１０６をそれぞれ保持するための部品であり、筒状に形成されている。より具体的には、外周スリーブ体１０１は、図２に示すように、格子体１０２の側面外周部を覆う平面視で正方形状の筒状に形成されている。この場合、外周スリーブ体１０１は、本実施形態においては、段ボール材で構成されている。すなわち、外周スリーブ体１０１は、屈曲可能な板状体で形成されており、図３に示すように、人手によって折り畳むこともできる。本実施形態においては、外周スリーブ体１０１は、縦が約８６０ｍｍ、横が約８６０ｍｍ、高さが約４００ｍｍの方形筒状に形成されている。
【００１９】
格子体１０２は、天板１０４上に載置される人の重量を支持するための部品であり、複数の組板１０３を縦横方向に組んだ格子状に形成されている。複数の組板１０３は、図４に示すように、格子体１０２を構成する部品であり、帯状に延びる段ボール製の板状体に複数のスリット１０３ａが形成されて構成されている。この場合、各組板１０３は、長辺方向に直交する短辺方向の長さ、すなわち、組板１０３の高さは前記外周スリーブ体１０１の高さと同じ長さに形成されている。
【００２０】
スリット１０３ａは、複数の組板１０３を互いに直交する方向に挿し込み合うための溝状の切欠き部分であり、組板１０３の厚さより若干広い溝幅で形成されている。このスリット１０３ａは、組板１０３の長辺方向に所定の間隔を介して短辺方向に延びて形成されている。
【００２１】
本実施形態においては、格子体１０２は、１つの組板１０３に対して５つのスリット１０３ａが形成された１０個の組板１０３を互いに直交する方向に挿し込み合って格子状に組まれて構成されている。これにより、格子体１０２は、各組板１０３が互いに直交配置された格子状の状態と、図５に示すように、格子状の格子体１０２を対角方向に押し潰して各組板１０３を重ね合わせた折り畳み状態とにそれぞれ相互に変形させることができる。なお、図５は、各組板１０３を重ね合わせて折り畳んだ格子体１０２を寝かせた状態で示している。
【００２２】
天板１０４は、図２に示すように、格子体１０２の上面を覆って使用者Ｕが載る部分であり、段ボール材を平板状に形成して構成されている。より具体的には、天板１０４は、前記外周スリーブ体１０１の平面視における方形の開口形状と同じ形状でかつ同開口形状よりより一回り小さい大きさで形成されている。この天板１０４には、外周部に挿し込み部１０４ａが形成されている。なお、図１においては、仰臥した姿勢の使用者Ｕを二点鎖線で示している。
【００２３】
挿し込み部１０４ａは、外周スリーブ体１０１と格子体１０２との間に挿し込まれて天板１０４の位置ずれを防止するための部分であり、天板１０４の４辺の外周部がそれぞれ折り曲げられて構成されている。なお、天板１０４は、格子体１０２の上面における少なくとも一部を覆う形状に形成されていれば、必ずしも外周スリーブ体１０１の開口形状に対応する形状に形成する必要はない。
【００２４】
壁体１０５は、図６に示すように、天板１０４の上方空間の一部を仕切るための部品であり、垂直方向に延びる段ボール製の板状体で構成されている。より具体的には、壁体１０５は、外周スリーブ体１０１と格子体１０２との間に挿し込まれて天板１０４の上方に延びる高さの板状体に形成されている。この場合、壁体１０５の高さは、天板１０４上に寝るまたは座る人の高さ以上の高さに形成される。本実施形態においては、壁体１０５は、約１２００ｍｍの高さに形成される。
【００２５】
この壁体１０５は、第１壁部１０５ａおよび第２壁部１０５ｂを備えている。第１壁部１０５ａは、外周スリーブ体１０１の開口部の１辺に対応する長さの板状部分である。また、第２壁部１０５ｂは、第１壁部１０５ａに対して屈曲して延びる板状部分であり、第１壁部１０５ａよりも短い長さに形成されている。これにより、壁体１０５は、第１壁部１０５ａと第２壁部１０５ｂとによって屈曲部１０５ｃが形成されて剛性が向上している。そして、この壁体１０５は、２つの外周スリーブ体１０１において各外周スリーブ体１０１ごとにそれぞれ互いに直交する２辺にそれぞれ設けられる。
【００２６】
連結体１０６は、図７に示すように、２つの外周スリーブ体１０１を互いに連結するための部品であり、垂直方向に延びる段ボール製の板状体で構成されている。より具体的には、連結体１０６は、互いに隣接する２つの外周スリーブ体１０１のうちの一方の外周スリーブ体１０１と格子体１０２との間に挿し込まれる第１挿し込み部１０６ａと、他方の外周スリーブ体１０１と格子体１０２との間に挿し込まれる第２挿し込み部１０６ｂとを備えて構成されている。
【００２７】
この場合、第１挿し込み部１０６ａおよび第２挿し込み部１０６ｂは、下部側がスリット１０６ｃを介して互いに隣接して形成されるとともに、上部側が互いに繋がって形成されている。スリット１０６ｃは、互いに隣接配置された２つの外周スリーブ体１０１における互いに対向配置された２つの側壁を挿し込むための切欠き部分であり、前記２つの側壁の厚さよりも若干広い溝幅で同２つの側壁の高さよりも若干深い深さで形成されている。この連結体１０６は、本実施形態においては、横幅が約５３０ｍｍ、高さが１２００ｍｍ（壁体１０５と同じ高さ）に形成されている。
【００２８】
（組立式家具１００の作動）
次に、上記のように構成した組立式家具１００の作動について説明する。まず、組立式家具１００を保管または運搬する場合について説明する。この組立式家具１００は、使用しない場合においては、外周スリーブ体１０１、格子体１０２、天板１０４、壁体１０５および連結体１０６をそれぞれ互いに分離した状態で保管または運搬することができる。
【００２９】
この場合、外周スリーブ体１０１および格子体１０２は平たく折り畳んで保管または運搬することができる（図３，図５参照）。また、格子体１０２は、組板１０３を分離した状態で個別に保管または運搬することもできる。また、天板１０４、壁体１０５および連結体１０６は、適宜折り曲げて保管または運搬することができる。
【００３０】
次に、組立式家具１００を使用する場合について説明する。まず、使用者Ｕは、２つの外周スリーブ体１０１、２つの格子体１０２、２つの天板１０４、４つの壁体１０５および１つの連結体１０６をそれぞれ用意する。次に、使用者Ｕは、２つの外周スリーブ体１０１をそれぞれ開いて平面視で方形筒状に形成するとともに、２つの格子体１０２をそれぞれ開いて平面視で方形の格子状に形成する。
【００３１】
次に、使用者Ｕは、図８に示すように、２つの外周スリーブ体１０１内にそれぞれ１つずつ格子体１０２をそれぞれ挿入する。次に、使用者Ｕは、図９に示すように、外周スリーブ体１０１内に収容された格子体１０２上に天板１０４を載置して天板１０４における４つの挿し込み部１０４ａを外周スリーブ体１０１と格子体１０２との間にそれぞれ挿し込む。これにより、天板１０４は、外周スリーブ体１０１および格子体１０２に対して固定される。
【００３２】
次に、使用者Ｕは、図１０および図１１にそれぞれ示すように、２つの外周スリーブ体１０１を互いに隣接配置した後、一方の外周スリーブ体１０１に２つの壁体１０５をそれぞれ取り付ける。具体的には、使用者Ｕは、外周スリーブ体１０１における互いに直交する２辺にそれぞれ壁体１０５を配置して外周スリーブ体１０１と格子体１０２との間に壁体１０５の下部を挿し込む。この場合、使用者Ｕは、２つの壁体１０５間において一方の壁体１０５における第２壁部１０５ｂを他方の壁体１０５の第１壁部１０５ａに重ねるように配置する。これにより、外周スリーブ体１０１の１つの角部上に２つの壁体１０５の各屈曲部１０５ｃが配置される。
【００３３】
次に、使用者Ｕは、図１２に示すように、互いに隣接する２つの外周スリーブ体１０１間に連結体１０６を取り付ける。具体的には、使用者Ｕは、互いに隣接する２つの外周スリーブ体１０１の各外周スリーブ体１０１と格子体１０２との間に第１挿し込み部１０６ａおよび第２挿し込み部１０６ｂをそれぞれ挿し込む。すなわち、連結体１０６は、２つの外周スリーブ体１０１間に跨った状態で取り付けられる。これにより、２つの外周スリーブ体１０１は、連結体１０６が取り付けられた部分で連結される。
【００３４】
次に、使用者Ｕは、２つの外周スリーブ体１０１における他方の外周スリーブ体１０１に前記と同様にして２つの壁体１０５をそれぞれ取り付ける。これにより、使用者Ｕは、図１に示すように、組立式家具１００を完成させて使用することができる。具体的には、使用者Ｕは、天板１０４上に寝たり座ったりして使用することができる。
【００３５】
また、使用者Ｕは、図１３に示すように、天板１０４上に敷物１１０を敷いて使用してもよい。この場合、敷物１１０は、気泡緩衝材、発泡樹脂シート、敷布、敷布団またはアルミニウムシートなどで構成することができる。
【００３６】
一方、使用者Ｕは、組立式家具１００の使用を終了する場合には、組立式家具１００を解体する。具体的には、使用者Ｕは、外周スリーブ体１０１、格子体１０２、天板１０４、壁体１０５および連結体１０６をそれぞれ互いに分離して個別に保管または運搬することができる。
【００３７】
上記作動説明からも理解できるように、上記実施形態によれば、組立式家具１００は、格子体１０２を筒状の外周スリーブ体１０１体内に収容した状態でこの格子体１０２上に天板１０４を配置して構成されているため、構成部品を単純な形状で部品点数を少なくすることができ、組立作業および解体作業を簡単にすることができる。
【００３８】
さらに、本発明の実施にあたっては、上記実施形態に限定されるものではなく、本発明の目的を逸脱しない限りにおいて種々の変更が可能である。なお、以下で説明する各変形例においては、上記実施形態と同様の構成部分に同じ符号を付して説明は適宜省略する。
【００３９】
例えば、上記実施形態においては、組立式家具１００は、２つの正方形状の外周スリーブ体１０１を備えて構成した。しかし、組立式家具１００は、１つまたは３つ以上の外周スリーブ体１０１で構成することができる。また、外周スリーブ体１０１は、平面視で正方形以外の形状、例えば、平面視で長方形、三角形または六角形などの多角形状、円形または楕円形に形成することができる。この場合、外周スリーブ体１０１の大きさも組立式家具１００の仕様に応じて適宜決定されるものである。
【００４０】
また、上記実施形態においては、格子体１０２は、１０個の組板１０３によって平面視で方形に形成した。しかし、格子体１０２は、外周スリーブ体１０１内に収容される形状であって天板１０４上に載置される人または物の重さを支持することができる剛性を有していれば、必ずしも上記実施形態に限定されるものではない。したがって、格子体１０２は、少なくとも３つの組板１０３で構成することができる。
【００４１】
また、上記実施形態においては、組立式家具１００は、人手によって屈曲変形可能な段ボール材で構成した。しかし、組立式家具１００は、段ボール材以外の材料、例えば、人手によって屈曲変形可能または不能な樹脂材および金属材をそれぞれ単独でまたはこれらを適宜組み合わせて構成することができる。
【００４２】
また、上記実施形態においては、組立式家具１００は、壁体１０５を備えて構成した。これにより、組立式家具１００は、使用者Ｕのプライベート空間を確保することができる。しかい、組立式家具１００は、壁体１０５が不要な場合、例えば、図１４に示すように、組立式家具１００を腰掛けまたは物品Ｗを置いておく物置台として用いる場合には壁体１０５を省略して構成することができる。なお、図１４においては、使用者Ｕおよび物品Ｗを二点鎖線で示している。
【００４３】
また、上記実施形態においては、壁体１０５は、第１壁部１０５ａおよび第２壁部１０５ｂを備えて構成した。しかし、壁体１０５は、第１壁部１０５ａおよび第２壁部１０５ｂのうちの一方で構成することができる。また、壁体１０５は、第１壁部１０５ａおよび第２壁部１０５ｂの大きさおよび形状を互いに異ならせて構成してもよいし、両者を同じ大きさおよび形状に構成することもできる。
【００４４】
また、上記実施形態においては、組立式家具１００は、連結体１０６を備えて構成した。しかし、組立式家具１００は、複数の外周スリーブ体１０１を連結する必要がない場合、または組立式家具１００が１つの外周スリーブ体１０１で構成されているなどの場合には連結体１０６を省略して構成することができる。
【００４５】
また、上記実施形態においては、天板１０４は、外縁部に挿し込み部１０４ａを備えて構成した。しかし、天板１０４は、挿し込み部１０４ａを省略して構成することにより格子体１０２上に単に載せるように構成することもきる。
【００４６】
また、上記実施形態においては、組立式家具１００は、ベッドとして構成した。しかし、組立式家具１００は、ベッド以外の家具、例えば、ベンチ、椅子、テーブル、脚立または台として構成することができる。
【００４７】
Ｕ…使用者、Ｗ…物品、
１００…組立式家具、１０１…外周スリーブ体、１０２…格子体、１０３…組板、１０３ａ…スリット、１０４…天板、１０４ａ…挿し込み部、１０５…壁体、１０５ａ…第１壁部、１０５ｂ…第２壁部、１０５ｃ…屈曲部、１０６…連結体、１０６ａ…第１挿し込み部、１０６ｂ…第２挿し込み部、１０６ｃ…スリット、
１１０…敷物。
【図１】
2017209321.tif 000003
【図２】
2017209321.tif 000004
【図３】
2017209321.tif 000005
【図４】
2017209321.tif 000006
【図５】
2017209321.tif 000007
【図６】
2017209321.tif 000008
【図７】
2017209321.tif 000009
【図８】
2017209321.tif 000010
【図９】
2017209321.tif 000011
【図１０】
2017209321.tif 000012
【図１１】
2017209321.tif 000013
【図１２】
2017209321.tif 000014
【図１３】
2017209321.tif 000015
【図１４】
2017209321.tif 000016